(57)【特許請求の範囲】
【請求項１】
吸引した気体を水によりフィルタリングするバキュームクリーナにおいて、
底面から上方に向かって暫時、半径が増大する円筒形状の内側面を有し、内部に溜めるべき水の高さ上限目安が表示された液体貯留槽と、
前記表示された水の高さよりも高い位置に設けられたノズルであって、側面断面の円形に沿わせるように案内された前記吸引した気体を噴出する吹き出し口を有し、かつ、前記ノズルは、前記液体貯留槽内の内側に入り込み前記液体貯留槽内の側面形状から連続的に伸びる上面を有したノズルと、
前記液体貯留槽の上方の開口を液密、気密状態に覆い、液体貯留槽の底に向けて回転軸を突出させるとともに、前記液体貯留槽内部に向けて、気体を吸引する開口が設けられた隔壁と、
前記回転軸に固定されて前記液体貯留槽内に位置付けられる水分離機であって、前記回転軸を中心とする周の側面に前記隔壁の開口に至る複数の貫通孔が設けられており、かつ前記回転軸が前記液体貯留槽の円形状中心に向けられ、前記吹き出し口の吹き出し方向が前記回転軸の回転方向に一致する水分離機と、
前記気体を吸引する開口から気体が吸引されたとき、前記液体貯留槽に注水された水が旋回して、前記ノズルを超えて前記暫時半径が増大する円筒形状の内側面を上るとともに、前記ノズルの上面を乗り越えた水で水渦の膜を作ることを特徴としたバキュームクリーナ。
【請求項２】
前記液体貯留槽の底面の中心位置にはピンが立設けられており、前記ピンの高さが前記液体貯留槽の内部に溜めるべき水の高さ上限目安を示すことを特徴とする請求項１のバキュームクリーナ。
【請求項３】
請求項１のバキュームクリーナにおいて、前記回転軸に連結したファンを有し、前記隔壁の開口を通して吸引された気体により、前記ファンが回転することを特徴とするバキュームクリーナ。
【請求項４】
請求項３のバキュームクリーナにおいて、水平な支軸回りに回動可能な連結ダクトを有し、前記水分離機及び前記ファンは前記連結ダクトの先端に設置され、前記液体貯留槽に設置した位置から退避した位置への移動をすることを特徴とするバキュームクリーナ。
【請求項５】
請求項３のバキュームクリーナにおいて、さらに、洗浄液が注入される洗浄液タンクと、前記洗浄液タンクからの洗浄液に圧力を加えて送出する洗浄液ポンプと、送り出された洗浄液を外部へ供給するジャケットとを有し、前記吸引を行うモードと、前記吸引と平行して前記洗浄液ポンプを稼動して、洗浄液を外部へ供給するモードとを有することを特徴とするバキュームクリーナ。
【発明の詳細な説明】
【技術分野】
【０００１】
この発明は、気体吸引通路に貯留された水により、気体に含まれた微小粒を捕獲するようになされたバキュームクリーナに関するものである。
【背景技術】
【０００２】
液体貯留ケースに水を入れておいておき、吸引した乾塵埃を含む吸気を水により補塵するバキュームクリーナが例えば特許文献１、２及び特許文献３において知られている。
【０００３】
特許文献１及び２の掃除機においては、吸引した乾塵埃を含む吸気を貯留した水の水面に対して吹きつけるものであり、吹き上がった水により塵埃が補足され、水分離器により水分により重量を増した塵埃と気体とが分離される。ここにおいて、水分離機として、特許文献１は回転式セパレータを使用したもの、特許文献２は吸気により渦流を起こして分離するものを開示している。一方、特許文献３、４の掃除機においては、吸引した乾塵埃を含む吸気を貯留した水中に吐き出すものであり、水中を潜る間に水により塵埃が補足される。特許文献３の掃除機においては、その後水を含んで重量を増し尚且つ飛散する塵埃を別室に導入し、吸気の渦流を起こして分離する。特許文献４の掃除機は、回転式セパレータで分離している。
【特許文献１】特開２０００-３３３８８９号公報
【特許文献２】特開２００７-１１１３９７号公報
【特許文献３】実公昭５４-３５７３号公報
【特許文献４】特開平１０-３０４９９３号公報
【発明の開示】
【発明が解決しようとする課題】
【０００４】
特許文献１のバキュームクリーナは、塵芥を含む吸気が水と接触する機会としては、吸気の固まりとして水面に衝突した際及び吸気が吹き付けられて飛散した水に接触する際であり、水に接触する機会が限定されている。また、特許文献１のバキュームクリーナであっても、水中に吐き出された際は吸気の塊として水に接触するだけであり、また水面に浮上する際に発生する気泡が破裂した結果飛散した水に接触するだけであり、やはり水に接触する機会は限定されている。このような電機掃除機では、微細粉の塵芥を大量に吸い込んだ際に、多くの塵芥を水に濡らすことができないという問題がある。
本発明は、塵芥を含む吸気と水とが接触する機会が増加されたバキュームクリーナを得ることを目的とする。
【課題を解決するための手段】
【０００５】
上記目的を達成するために、吸引した気体を水によりフィルタリングするバキュームクリーナにおいて、底面から上方に向かって暫時、半径が増大する円筒形状の内側面を有し、内部に溜めるべき水の高さ上限目安が表示された液体貯留槽と、前記表示された水の高さよりも高い位置に設けられたノズルであって、側面断面の円形に沿わせるように案内された前記吸引した気体を噴出する吹き出し口を有し、かつ、前記ノズルは、前記液体貯留槽内の内側に入り込み前記液体貯留槽内の側面形状から連続的に伸びる上面を有したノズルと、前記液体貯留槽の上方の開口を液密、気密状態に覆い、液体貯留槽の底に向けて回転軸を突出させるとともに、前記液体貯留槽内部に向けて、気体を吸引する開口が設けられた隔壁と、前記回転軸に固定されて前記液体貯留槽内に位置付けられる水分離機であって、前記回転軸を中心とする周の側面に前記隔壁の開口に至る複数の貫通孔が設けられており、かつ前記回転軸が前記液体貯留槽の円形状中心に向けられ、前記吹き出し口の吹き出し方向が前記回転軸の回転方向に一致する水分離機と、前記気体を吸引する開口から気体が吸引されたとき、前記液体貯留槽に注水された水が旋回して、前記ノズルを超えて前記暫時半径が増大する円筒形状の内側面を上るとともに、前記ノズルの上面を乗り越えた水で水渦の膜を作ることを特徴とする。
【発明の効果】
【０００６】
本発明によれば、ノズルを超えて暫時半径が増大する円筒形状の液体貯留槽の周壁内側面を上るとともに、ノズルの上面を乗り越えた水で水渦の膜が作られる。この膜となった渦状の水に気体が潜ることになるので、水との接触の機会が増加し、塵芥をより確実に濡らすことができるものとなる。

【発明を実施するための最良の形態】
【０００７】
以下、本発明の実施例を図面を参照して説明する。
図１は本実施例によるバキュームクリーナ１の斜視図である。バキュームクリーナ１は、シャーシ２に収容されており、シャーシ２の前後部に設けられた接地車輪８ａ、８ｂは移動方向を変えることができるようにキャスターになっている。
【０００８】
シャーシ２の前方（図中、右側）には、集塵ホース５１（図２）を取り付ける取付口３、洗浄液チューブ５２（図２）を取り付けるジャケット４が設置されている。また、気体の取付口３の後方には透明窓２ａが設けられており、シャーシ２の内部が見えるようになっている。透明窓２ａの内側には、側断面形状が円形の液体貯留槽１０が設置される。液体貯留槽１０は、その上方が開口１４のように開放されている。また、液体貯留槽１０は、透明な合成樹脂材で形成されており、シャーシ２の外部から透明窓２ａを通して、内部の様子が観察できるようになっている。シャーシ２は、上方に開口７を有しており、液体貯留槽１０を外部に「イ」に示すように脱着可能となっている。液体貯留槽１０は、シャーシ２に設置した際に、取付口３からの吸気が液体貯留槽１０の内部に導入されるように液密な連結口１１を有する。一方、液体貯留槽１０の内部には、取付口３からの吸気を、液体貯留槽１０の断面円形な側面に沿って噴出すノズル１２が設けられている。液体貯留槽１０は、容器部１６と蓋１７を具備しており、開口７は蓋側４に設けられている。一方、ノズル１２は容器１６側に設けられている。
【０００９】
シャーシ２の中央部２ｂには吸気を行う電動ファン７３（図２）が収められている。連結ダクト３０は、電動ファン７３の上方に設けられており、電動ファン７３から吸気の方向を変更してシャーシ２の前方側に向けるものである。特に、図中、連結ダクト３０は起立した状態を示しているが、本実施例の連結ダクト３０は、吸気の方向を前方に変更できるものとなっている。
【００１０】
連結ダクト３の前方には、ターボファンユニット２０が接続されている。連結部３０がシャーシ２の前方に位置付けられるとき、ターボファンユニット２０が、液体貯留槽１０の上方の開放した開口１４を、液密、気密状態で塞ぐものとなっている。
【００１１】
シャーシ２の後部には、洗浄液タンク４０を設置するケース３１が設けられている。洗浄液タンク４０をケース３１内に「ハ」に示すように設置したとき、底部に設けられた接続部４２が解放し、内部の洗浄液をバキュームクリーナ１内に導入する。また、シャーシ２には、電動ファンの電源スイッチ５、及び洗浄液ポンプ６（後述）の電源スイッチが夫々設けられている。
【００１２】
図２は、バキュームクリーナ１の断面側面図である。電動ファン７３は、シャーシ２の底部２ｃに設置され、電動モータ７４と、モータ回転軸に設けられたファンとを有している。電源スイッチ５（図１）を投入することで商用電源に接続され、ファンの吸引口７６から吸気作用をするように構成されている。電動モータ７４がシャーシ底部２ｃに設置されているため、バキュームクリーナ１の重心が低くなっており、取り回しが容易である。
【００１３】
連結ダクト３０は、水平な支軸３１を中心に回動可能であり、内部にフレキシブルホース３２が設けられている。フレキシブルホース３２は、電動ファン６１の吸気口７６に接続されている。また、電動ファン６１の前方のシャーシ底部２ｃには、洗浄液ポンプ７０が取り付けられている。洗浄液ポンプ７０は、洗浄液タンク４０の洗浄液Ｃをパイプ７１を経由して取り込み、吐出しパイプ７２へ圧力を掛けて送るものである。吐出しパイプ７２は、ジャケット４に接続している。洗浄液ポンプ７０は、電源スイッチ６（図１）を投入することで商用電源に接続され可動する。ここにおいて、電動ファン７３の電源とは独立して投入できるようになっている。
【００１４】
液体貯留槽１０は、底面から上方に向かって暫時、半径が増大する円筒形状の容器１６を有している。容器１６には、貯留する水Ｗの上限の目安を示すために底面の中心から垂直に水位目安ピン１３が立設されている。水位目安ピン１３は、後述する水の渦の発生を妨げないように、丸棒状であることが望ましい。液体貯留槽１０の前側（図中、右側）には、吸気口と接続する連結口１１を有しており、液体貯留槽１０がシャーシ２内に設定されたときに液密、気密状に取付口３に接続する。液体貯留槽１０内は、電気ファン７３の稼動により負圧となっているので、吸気ホース５１からの塵芥が混入した気体及び液体は液体貯留槽１０の内部に噴出される。
【００１５】
液体貯留槽１０は、さらに容器１６の上周縁に水密・気密状に勘合する蓋１７を有している。蓋１７は、ターボファンユニットの外部部材８０(図４)が貫通する開口が設けられており、その開口の周縁に円筒状の周壁１８を有している。周壁１８は、図面下側（容器１６の底部に向かう方向）高さを持つ壁であり、電気ファン７３停止時にバキュームクリーナ１が転倒しても、液体貯蔵層１０内の汚濁水が水分離機２４内に浸入しないようにする障壁として機能する。液体貯留槽１０の水位目安ピン１３よりも高い位置に、連結口３からの塵芥が混入した気体及び液体を液体貯留槽１０に導入する吹き出し口を有するノズル１２が設けられている。この位置は、後述する外部部材８０の複数の貫通孔８１の開口より低い位置である。図３において、図３Ａは液体貯留槽１０のノズル１２の高さで切断した断面図を示している。このノズル１２は、液体貯留槽１０の容器１６の側面形状１０ａから連続的に延びる上面１２ａを有している。連結口３からの気体は、ノズル１２によりその流れの向きを変えられる。ノズル１２の噴出向きＱは、液体貯留槽１０の中心に向かう成分Ｒと、液体貯留槽１０の側面の曲線に沿った方向の成分Ｐにその方向成分を観察したときに、成分Ｐの方がＲよりも大きいものとされる。
【００１６】
ノズル１２による噴出により、液体貯留槽１０の内の気体は、渦を巻くものとなる。一方、液体貯留槽１０内に、水が水位目安ピン１３の高さ程度まで充填されている場合は、この気体の渦に誘起されて図３Ｂに示すように水が渦巻き状となって、液体貯留槽１０内の水が渦流Ｔを作る。水の渦流は遠心力により、液体貯留槽１０の容器１６内の外周に押し付けられることになるため、液容器１６の内側面においては、上縁に向けてせりあがり、ノズル１２を覆った水の回転膜を形成する。せりあがった水は、蓋１７にまで達し、さらにその内側まで濡らすので、蓋１７と容器１６との間は水密なシールを施してある。ノズル１２の設置部分の渦Ｔ１においては、ノズル１２が液体貯留槽１０の断面円の形状を乱しており渦の抵抗となる。従って、ノズル１２の上面は、液体貯留槽１０の側面形状１０ａから連続的に延びる形状として、渦に与える抵抗を少なくしている。また、液体貯留槽１０の形状は液体貯留槽１０が底面から上に向かって、半径が暫時増大するものであるが、この形状も水がせり上がることに寄与している。
【００１７】
ノズル１２からの噴出しによって気体及び水の渦を発生させるためには、ノズル１２からの流れの全成分を側面の曲線に沿った方向にするのが効率上望ましい。ノズル１２は、電動ファン７３の停止時には、液体貯留槽１０内に蓄えられた水に没しない高さであることが望ましいが、水に没しても水の渦を発生させることは可能である。この場合、電動ファン７３の停止時に液体貯留槽１０の水が吸引口３に逆流しないような構造としておく必要がある。
【００１８】
このように、液体貯留槽１０内においては、ノズル１２から噴出した気体は水渦の膜を潜るため、気体に含まれる塵芥が水に触れる機会が増大する。また、液体貯留槽１０の気体も渦を巻いており遠心分離により、塵芥は水の渦の中に取り込まれることになる。このように、気体の渦と水の渦とが２重の渦となることにより、塵芥を捕獲することができる。
【００１９】
図２に戻り、ターボファンユニット２０は、半球状の形状をしており、内部にファン１１１（図５）及び水分離機２４（図４）を具備している。これらについては、後述するが、水分離機２４はファンの回転軸に連結して、高速に回転するものであって、その回転軸は、液体貯留槽１０の中心位置に位置付けられている。ノズル１２から噴出した気体は、液体貯留槽１０の水渦の膜を潜りはね飛ばすため、水しぶきが立ちこめる。これをそのまま電動モータ７４で吸い込むと、水滴と水滴に混じった塵埃も一緒に吸い込んでしまう。水分離機２４は、空気と水滴を分離するものである。液体貯留槽１０の周縁にターボファンユニット２０が液密・気密状に設置されたとき、液体貯留槽１０の内部で回転する。この回転方向と、ノズル１２からの噴出す方向成分Ｐ（図３）は、同じ方向である。このため、水分離機２４の回転も、この旋回渦を作るのに寄与させることができる。ターボファンユニット２０は、図中破線で示すように、連結ダクト３０から「ホ」のように分離可能になっており、個別にメンテナンスができるようになっている。尚、水分離機２４の回転のみでは、液体貯留槽１０の水は回転させることは可能であるが、液体貯留槽１０の壁をよじ登る渦とするのは困難である。
【００２０】
ターボファンユニット２０の詳細について、図４を用いて説明する。
ターボファンユニット２０は、ファンを収めて回転軸２１が突出させたファンケース１００を有している。さらに水分離機２４を構成する対面部材９０、外部部材８０を有している。電気ファン７３が稼動を始めると、その吸引力によりファンケース１００内のファンが回転軸２１を回転させる。回転軸２１には対面部材９０がナット２２により固着されている。更にこの回転軸２１には同軸に、外部部材８０がその外周縁を対面部材９０の外周縁に、また中央部を取付ナット２２に当接した状態で、ナット２３により固着されている。
【００２１】
図５に示すように、ファンケース１００は、ターボファンユニット２０の半球状カバー２２の中に設けられており、ファン１１１が収められたファン室１１０と、連結ダクト３０へと続く排気室１２０が設けられている。ファン室１１０の下面は隔壁１３０が設けられている。隔壁１３０には、下向きに立設した気体通路となる回廊１３６を内部に有する外周壁１３９、対面部材９０の周壁９２の通路となる周状の溝１３８、及び筒状の壁１３４が設けられている。ファン室１１０と排気室１２０との間には、ファン１１１の半径よりも小さい幅をもつ開口１１２が設けられる。一方、ファン室１１０の下面となる隔壁１３０には、開口１１２の対向する位置であって、回転軸２１と壁１３４の間にさらなる開口１３５が設けられており、これらの開口１３５を通して電気ファン７３による吸気がファン室１１０を通過する。ファン１１１は、この開口１１２、１３５間を通過する吸気により回転する。ファン１１１の全面に吸気を受けても良いが、開口１１２、１３５を設けて吸気が通過する範囲を絞るのは、ファン１１１に高速回転数させるためである。
【００２２】
図６に、ファン室１１０の下面に設けられた隔壁１３０を下から見た斜視図を示す。隔壁１３０の外周壁の頂部には、弾性部材によるパッキン１３７が設けられており、液体貯留層１０の上方の開口１４の周縁と当接して液密、気密なシールを構成する。回廊１３６の内側の壁１３０ｃには、等角度間隔を置いて空気穴１３３が設けられている。また、外側の壁１３０ａにも空気穴１３１が設けられており、外側の空気穴１３１から気体を取り入れて回廊１３６を経て内側の空気穴１３３へ案内される。このように、外周壁１３９に回廊１３６が設けられるのは、消音の目的である。外周壁１３９の上面１３８には、弾性材料によるシール１３７が設けられている。上面１３８において、シール１３７が設けられている範囲を除いて、外部部材８０のフランジ部８６の裏面８３（図８）が狭い隙間をもって対向している。
【００２３】
図７は、対面部材９０を示す図である。図７Ａの上面図において、内周には複数の貫通孔９１が設けられている。この貫通孔９１は、対面部材９０の隔壁１３０の開口１３５への気体の通路となっている。また、図７Ｂの側面図に示すように、対面部材９０の周壁９２には、回転した際に図中下側から上側に気体を案内するための傾斜面９３を持つ複数のリブ９４が等角度間隔に設けられている。傾斜面７３は、図中ｔで示すように上側に膨らんだ傾斜である。また、この傾斜面９３は、対面部材９０の外周側が内周側よりも高くなっている。図７Ｃは、対面部材９０のＡ−Ａ断面であり、ファン室１１０の隔壁１３０との関係を示している。対面部材９０を回転軸２１に固定した際、対面部材９０の周壁９２の外周面９２ａ、下面９２ｂ、内周面９２ｃは、ファン室１１０の溝１３８の外周面１３０ａ、下面１３０ｂ、内周壁１３０ｃと近接してラビリンスシールを構成する。このラビリンスシールは、対面部材９０の周壁９４と隔壁１３０との隙間から対面部材９０の内側に入り込もうとする液体をシールするものである。水分離機２４の内部は、吸引されているために負圧となっており、この隙間から液体が進入するのである。ファン室１３０の回廊１３６からは空気穴１３３を通して、気体が取り込まれており、対面部材９２のリブ９４は、この空気を対面部材９０の図中上方に押し出すファンの役目を果たす。対面部材９０の周壁９２と隔壁１３０の間から対面部材９０の内側に入り込もうとする液体は、この空気の流れにより押し出されるように作用する。
【００２４】
このように、ファン室１３０の隔壁１３０と対面部材９０との間には、ラビリンスシール或いは気体を動的に動かす動的シールが形成されている。これは、隔壁１３０と対面部材９０の隙間から少量の塵埃を含んだ水、及び、液体の浸入を許すと、電動モータを汚染しその寿命を短くするのを抑制するためである。
【００２５】
図８に外部部材８０の斜視図を示す。外部部材８０は、セパレータとも呼ばれ、その側壁８４に内側と外側を貫通する複数のスリット８１（貫通孔）が等角度間隔で穿設してある。これらのスリット８１を構成するリブ８２が、図中右側方向（対面部材９０から離れる方向）に向かって、回転軸２１に対してセ外部部材８０を縮径するように内側に曲げられている。外部部材８０は回転した際に、液体貯留槽１０内において飛び散った水を遠心力により振り払い水分離機２４内部に水が吸い込まれないように働く。遠心力により振り払うためには、リブ８２を図中右方向に向かって、回転軸２１に対して外部部材８０の径を増加するように外側に曲げられているのが望ましい。外部部材８０に付着した水が、遠心力により図中右側方向に移動しやすいからである。しかしながら、量産においては、そのような形状であると外部部材８０を樹脂材料により成型する際において、型枠から取り出しが困難となるので、本実施例の形状としているのである。
【００２６】
図９に集塵ホース５１の先端に取り付けるアタッチメントノズル６０を示す。アタッチメントノズル６０は、筒状のノズル本体６１と、その内部に設けられた断面Ｌ字形の遮蔽板６２と、この遮蔽板６２に連結され、遮蔽板５２を変位させるための駆動部６３を備えている。このアタッチメントノズル６０内には、洗浄液チューブ６２の先端が、中空のステイ６４に支持された状態で配置されており、流体供給チューブ６２の先端から噴出した洗浄液は、ステイ６４を経てノズル本体６１の先端側に形成された開口部６５から壁に付着した汚れに対して吹付けられる。
【００２７】
遮蔽板６２は、断面略Ｌ字状を有し、このＬ字状を画定する略垂直面部分の略中央部分に、開口部６７が形成されている。駆動部６３は、環状のガイド壁部６３ｄ内の空間に設けられたピストン部６３ａが、軸部６３ｂを介して遮蔽板６２に連結された構成となっている。この軸部６３ｂには、ピストン部６３ａを上方に付勢するコイル状のスプリング６３ｃが設けられている。この駆動部６３は、ノズル本体６１内が十分な負圧になった際に、大気圧とこの負圧との差圧が、ピストン部６３ａをスプリング６３ｃの弾撥力に抗して図中下方（アタッチメントノズル６０本体の内部空間に近接する方向）に変位させ、更に、このピストン部６３ａの変位が、軸部６３ｂを介して遮蔽板６２を変位させるよう構成されている。したがって、アタッチメントノズルは、ノズル本体内が十分な負圧となっていない状態、つまりアタッチメントノズル１が壁から離間している状態では、上限位置に存在しており、開口部６７の下部面６８に、スティ６４から噴出した洗浄液が衝突し、アタッチメントノズル６１の開口部６５から外部に噴出しない。一方、ノズル本体６１内が十分な負圧になった際には、この負圧との差圧が、ピストン部６３をスプリング６３ｃの弾撥力に抗して遮蔽板６２を図中下方に変位させ、開口部６５から洗浄液を噴出させる。
【００２８】
図９Ｂに開口部６５のＹ−Ｙ断面図を示す。図示のように、開口部６５の側面には、大気側からの空気を「ル」に示すように取り入れる小孔６６が開口している。この小孔６６は、開口部６５が完全に塞がった場合でも、吸引できるようにしたものである。
【００２９】
なお、このようなアタッチメントノズル５０に関しては、例えば、特開２００１−２７６１７２号公報、特開２００１−２９９９０３号公報、特開２００４−１４１８４５号公報及び特開２００４−２２３３７２号公報等に記載されているノズルも好適に使用することができる。
【００３０】
次に、本実施例によるバキュームクリーナ１の使用方法について説明する。バキュームクリーナ１は、２つのモードで使用することができる。第１のモードは、液体貯留槽１０に水を貯めてこれをフィルタとして利用するモードである。第２のモードは、液体貯留槽１０は空の状態で洗浄液ポンプ７０を電気ファン７３と並行して稼動させるモードである。
【００３１】
まず、第１のモードについて説明する。水目安ピン１３の上端部まで、水を液体貯留槽１０に注水し、バキュームクリーナ１のシャーシ２に設定する。ターボファンユニット２０を液体貯留槽１０に被せる。集塵ホース５１の先端に付けるアタッチメントノズル６０は、図９で示したようなアタッチメントノズルでも良いが、家庭用掃除機のノズルでも良い。電気ファン７３の電源スイッチ５を投入することにより、吸引が始まり、液体貯留槽１０の中には水の渦が発生する。この渦は、透明窓２ａを介して確認することができる。使用につれて、液体貯留槽１０の水が汚濁してくるので、電源スイッチ５を落とし、ターボファンユニット２０を取り外し、液体貯留槽１０をシャーシ２から引き抜いて、汚濁水を捨てる。
【００３２】
第２のモードにおいては、まず洗浄液タンク４０に、洗浄液を充填し、洗浄液ケース３１にセットする。洗浄液チューブ５２をジャケット４に差し込む。この際に使用する集塵ホース５１のアタッチメントノズル６０は、図９で示したものが利用できる。液体貯留槽１０は空の状態である。電気ファン７３及び洗浄液ポンプ７０の電源スイッチ５、６を投入する。使用につれて、洗浄液が液体貯留槽１０に溜まっていくので、水目安ピン１３まで溜まったら、電源スイッチ５、６を落とし、ターボファンユニット２０を取り外し、液体貯留槽１０をシャーシ２から引き抜いて、汚濁水を捨てる。
【００３３】
図１０は、他の例による液体貯留槽１０のノズル１９を示している。図３のノズルは、液体貯留槽１０内の空間に入り込んでいたが、本例のノズル１９は、液体貯留槽１０の側面断面１０ａの形状を円にできるだけ近づけるものである。そために、液体貯留槽１０の外側に気体の方向を曲げる構造を持たせ、液体貯留槽１０内には気体が噴出する噴出し口１９ａを持たせて、円形状に干渉しないようにした。これにより水の渦への抵抗を少ないものとした。
【００３４】
図１１は、対面部材９０とファン室１１０下面の隔壁１３０間のラビリンスシールを変更するものである。具体的には、図１１Ａのように、隔壁１３０の筒状の壁１３４の上縁に回転中心に向って、ドーナッツ状の面１３８を、対面部材９０の貫通孔９１の外側縁に達し、図１１Ｂに示すように貫通孔９１から覗く長さに設ける。ドーナッツ状面１３８と対面部材９０の内下面９５との間で延長したラビリンスシールを構成する。また、貫通孔９１から覗く長さとすることにより、外部部材８０から吸引された気体の一部が、ドーナッツ状面１３８と対面部材９０の内下面９５との間に押し込まれることになり、シール性が向上する。
【００３５】
図１２は、対面部材９０と隔壁１３０との間にさらに動的なシールを設けるものである。具体的には、対面部材９０が回転すると、壁９２ｃ、１３０ｃで構成するラビリンスシールの方に向かって、空気を押し出す面９７を有するフィン９６を対面部材９０の内下面に設けるものである。図１２の動的シールを収容できるような間隔に、図１１のドーナッツ状面１３８と対面部材９０の内面９５との間隔を広げて、図１２のような動的シールを設置することも可能である。
【００３６】
図１３は、外部部材８０の外側（液体貯留槽１０に面する方）に動的なシール構造を設けるものである。具体的には、図１３Ａに示すように、外部部材８０のフランジ部８６にフィン８４を設けるものである。外部部材８０が「ネ」方向に回転すると、外周に向かって、「ヌ」のように空気を押し出す面８５がフィン８４に設けられている。外部部材８０を樹脂成型する際には、フィン８４をリブ８２（図８）と一体的に形成するのが強度を得られて良い。
【００３７】
また、図１３Ｂ、フランジ部８６の裏面８３にフィン８７を設けてもよい。外部部材８０が「ネ」方向に回転すると、外周に向かって、「ノ」のように空気を押し出す面８９がフィン８７に設けられている。ここにおいて、フィン８７は、隔壁１３０の外周壁１３９の上面１３８（図６）と対面する隙間に配置するため、薄いものとなっている。
【００３８】
図１４は、対面部材９０と隔壁１３０との間の動的なシールをさらに改良するものである。図の動的なシールにおいては、隔壁１３０の空気穴１３１は大気に開放されていたが、本実施例は電気ファン７３の排気口７５からの排気を、チュウブ７８により空気穴１３１へ導入したものである。このように、隔壁１３０の空気穴１３１は、正圧、大気圧何れに繋いでも良く、電気ファン７３が作る負圧よりも高い圧力に繋げれば良い。特に、電気ファン７３の排気口７５からは、清浄化された気体が排出されるため、空気穴１３１が塵芥を吸い込んで汚れることが抑制される。
【００３９】
上記実施例においては、液体貯留槽１０が重力に対して垂直に起立したものとしたが、デザイン上やや斜めに配置することは可能である。その際、液体貯留槽１０として円筒状のものを用いると、斜めにした際には水の渦の形状が楕円状となるので、渦にとっては抵抗となる。これは、本実施例のバキュームクリーナ１が傾斜地に置かれたときと同じ現象である。また、回転軸２１に接続し、電動機により水分離機２４を回転させても良い。
【００４０】
本実施例によるバキュームクリーナ１は、家庭用、工業用の電気掃除機として利用できる他、ビューティサロンにおける残留化粧剤の除去や、頭皮に利用されるクリーナとしても利用可能である。
【００４１】
尚、本発明のバキュームクリーナは、上記の通りであるが、本実施例において説明した水分離機２４については、例えば特許文献１に示す水に吸気を噴出するようなバキュームクリーナにも適用できる多様性を持つものである。
【００４２】
すなわち、ファンから隔壁を介して延長された回転軸に固定され、外部空間から内部側への液体の進入を抑止して気体を取り込み、取り込んだ気体を前記隔壁に設けられた開口から排気する水分離機２４であって、
外部空間に露出し、前記回転軸から同心円上に離れた周側面に、内部へ貫通した多数の貫通孔が設けられた外部部材と、
回転軸との隔壁に対面し、前記貫通孔を通して進入した気体を前記隔壁の開口へ連通させ、外部部材の貫通孔を通過せずに前記開口に進入する気体に対して外部空間から前記隔壁との間でシールする対面部材とを有し、そのシール構造において、静的なシールと、動的なシール構造を持っている水分離機２４において、以下に示す各特徴を有している。
【００４３】
（ａ）隔壁は、前記外部空間の圧力よりも圧力の高い雰囲気から気体を取り入れて隔壁と対面部材の間から気体を前記外部空間に押し出す構造となっている。対面部材にはその周囲に隔壁に向かって延びた円筒状の外周壁を有しており、隔壁はその外周壁と外側から対面する面を有している。この対面する空間においては、隔壁側からは前記圧力の高い雰囲気から取り入れた複数の空気孔が設けられ、一方、対面部材側の外周壁には、前記対面する空間から気体を押し出す面が設けられている。その面は、前記回転軸から離れるにしたがって、押し出す方向に傾いている。
（ｂ）前記対面部材の外周壁の内側の壁と対面している円筒状の壁が隔壁には設けられており、その円筒状の壁の頂部においてはさらに回転軸の方向にドーナッツ状の円板が設けられている。
（ｃ）前記対面部材の外周壁の内側には、外周壁の前記円筒状の壁との間に向かって気体を押し出す面が設けられている。
（ｃ−１）前記ドーナッツ状の円板と前記対面部材との間にも（ｃ）の気体を押し出す面を設けても良い。
（ｄ）前記圧力の高い雰囲気は、大気圧よりも高い圧力としても良い。この場合、バキュームクリーナの排気を用いるのが効率的である。
（ｅ）前記対面部材の前記外部空間に露出する面であって、前記隔壁側に、前記貫通孔から前記外部空間に遠ざけるように、気体を押し出す面を有する。
【図面の簡単な説明】
【００４４】
【図１】本実施例に係るバキュームクリーナ１の斜視図
【図２】バキュームクリーナ１の側断面図
【図３】液体貯留槽１０の側断面図
【図４】ターボファンユニット２０の組み立て図
【図５】ファンケース１００の断面図
【図６】ファンケース１００の斜視図
【図７】対面部材９０の説明図
【図８】外部部材８０の説明図
【図９】アタッチメントノズル６０の断面図
【図１０】液体貯留槽１０の他の実施例を示す図
【図１１】ファンケース１００の隔壁１３０の他の実施例を示す図
【図１２】対面部材９０と隔壁１３０の他の実施例を示す図
【図１３】外部部材８０の他の実施例を示す図
【図１４】他の実施例に係るバキュームクリーナ１を示す図
【符号の説明】
【００４５】
１・・・バキュームクリーナ
１０・・・液体貯留槽
２０・・・ターボファンユニット
２４・・・水分離機
３０・・・連結ダクト
４０・・・洗浄液タンク
６０・・・アタッチメントノズル
７０・・・洗浄液ポンプ
８０・・・外部部材
９０・・・対面部材
１００・・・ファンケース
１３０・・・隔壁
【図１】
0005209991.tif 000002
【図２】
0005209991.tif 000003
【図３】
0005209991.tif 000004
【図４】
0005209991.tif 000005
【図５】
0005209991.tif 000006
【図６】
0005209991.tif 000007
【図７】
0005209991.tif 000008
【図８】
0005209991.tif 000009
【図９】
0005209991.tif 000010
【図１０】
0005209991.tif 000011
【図１１】
0005209991.tif 000012
【図１２】
0005209991.tif 000013
【図１３】
0005209991.tif 000014
【図１４】
0005209991.tif 000015